(57)【要約】【課題】側面に内部電極が露出した被整列部材を、上記側面に直交し、互いに対向する一対の端面を結ぶ線を回転軸として９０°回転させた状態で効率よく整列させることが可能な整列装置を提供する。【解決手段】主面１０ａが水平から垂直になるように回転可能に構成され、複数の被整列部材１を保持する保持プレート１０と、垂直になった保持プレートの主面との間に被整列部材の搬送路３０を構成する対向プレート２０と、被整列部材を上方から付勢して搬送路を下方に通過させる押し出し部材４０と、被整列部材を受け取り保持する整列シート５１と、整列シートを所定の方向に搬送する搬送手段６０を有する整列機構５０とを備えた構成とし、搬送路３０に被整列部材を位置させることにより、保持プレートの主面に保持されていた被整列部材を、対向プレートの主面２０ａに移行させて摺動可能に保持しつつ、押し出し部材４０により押し出して整列シート上に整列させる。【選択図】図２
2015222762.tif 000002
【特許請求の範囲】
【請求項１】
整列すべき複数の被整列部材を保持する保持プレートであって、主面に前記被整列部材を保持した状態で、前記主面が水平の状態から垂直の状態になるように、姿勢を変えることができるように構成された保持プレートと、
前記主面が垂直になった前記保持プレートの、前記被整列部材が保持された前記主面と対向して、前記保持プレートの前記主面との間に、前記被整列部材が上方から下方に向かって通過する搬送路が形成されるように構成された対向プレートと、
前記保持プレートと前記対向プレートの間の前記搬送路に位置する前記被整列部材を上方から付勢して、前記搬送路を下方に通過させる押し出し部材と、
前記押し出し部材により押し出された前記被整列部材を受け取り、所定の位置に保持する保持力を備える整列シートと、前記整列シートを所定の方向に搬送する搬送手段とを備え、前記被整列部材を保持させた前記整列シートを、所定の方向に搬送することにより、順次押し出される前記被整列部材を前記整列シート上に整列させる整列機構と
を備え、
前記保持プレートおよび前記対向プレートは、前記被整列部材を保持する保持手段を有しているとともに、前記対向プレートが有する前記保持手段の方が、前記保持プレートが有する前記保持手段よりも、前記被整列部材を保持する力が大きく、前記搬送路に前記被整列部材を位置させた場合に、前記保持プレートの主面に保持されていた被整列部材が、前記対向プレートの主面に移行し、前記対向プレートの前記主面に摺動可能に保持されるように構成されていること
を特徴とする整列装置。
【請求項２】
前記被整列部材が磁性を有しており、かつ、前記被整列部材を保持する前記保持手段が、磁力により前記被整列部材を保持するように構成されていることを特徴とする請求項１記載の整列装置。
【請求項３】
前記整列シートが備える前記保持力が、粘着力によって前記被整列部材を所定の位置に保持するものであることを特徴とする請求項１または２記載の整列装置。
【請求項４】
前記被整列部材が前記整列シート上に載置されるまで、前記被整列部材が前記対向プレートの前記保持手段により保持されるように、前記対向プレートの前記保持手段の下端から前記整列シートの表面までの距離を、前記被整列部材の前記整列シートへの載置姿勢における高さ寸法よりも小さくなるように調整するクリアランス調整手段をさらに備えていることを特徴とする請求項１〜３のいずれかに記載の整列装置。
【請求項５】
前記被整列部材が、内部電極を備えたマザーブロックを、所定の位置で分割してなる複数の個片であることを特徴とする請求項１〜４のいずれかに記載の整列装置。
【請求項６】
前記被整列部材が、内部電極を備えたセラミック積層体であり、かつ、前記保持プレート上に保持されている状態においては、前記保持プレートの前記主面に対して垂直な面であって、前記整列シート上に整列させた状態においては、前記整列シートの主面に対して平行な面である上面が、前記内部電極が露出する面であり、セラミックシートを貼り付けるか、または、セラミックスラリーを塗布することにより封止されるべき面である部材であることを特徴とする請求項５記載の整列装置。
【発明の詳細な説明】
【技術分野】
【０００１】
本発明は、例えば、積層セラミックコンデンサなどの電子部品の製造工程において、セラミック積層体のような被整列部材（チップ）を整列させるために用いられる整列装置に関する。
【背景技術】
【０００２】
代表的な積層セラミック電子部品の一つである積層セラミックコンデンサは、例えば、図８に正面断面図、図９に要部平面図を示すように、誘電体層であるセラミック層１５１を介して複数の内部電極１５２（１５２ａ，１５２ｂ）が積層されたセラミック積層体（セラミック素体）１６０の互いに対向する端面１５３ａ，１５３ｂに、内部電極１５２（１５２ａ，１５２ｂ）と導通するように外部電極１５５（１５５ａ，１５５ｂ）が配設された構造を有している。
【０００３】
そして、このような構造を有する積層セラミックコンデンサにおいては、小型化および大容量化を実現するため、図９に示すように、セラミック積層体（セラミック素体）１６０を積層方向からみた場合における、セラミック積層体（セラミック素体）１６０の平面面積に対する内部電極１５２ａと内部電極１５２ｂの重なり部分（ハッチングを付した領域）Ｒの平面面積の割合を大きくすることが求められている。
【０００４】
そして、そのために、図１０に示すように、外部電極との接続のために内部電極が引き出された端面１５３ａ，１５３ｂのみではなく、側面にも内部電極１５２（１５２ａ，１５２ｂ）が露出した構造を有する積層体１７０を形成するとともに、図１１に示すように、内部電極１５２（１５２ａ，１５２ｂ）が露出した側面１５４ａ，１５４ｂに厚みの薄いセラミックシート１７１を貼り付けることにより、サイドギャップＧの寸法の小さいセラミック積層体（セラミック素体）１６０ａを形成することができるようにした積層セラミックコンデンサの製造方法が知られている。
【０００５】
ところで、上述のようなこのようなセラミック積層体（セラミック素体）１６０ａを形成するにあたって、例えば、マザー積層体の上面側から切断刃を進入させてカットすることにより、各積層体１７０に分割した後、図１２に示すように、ホルダ１２６の貫通孔１２６ａに、積層体１７０を９０°回転させて挿入し、内部電極１５２（１５２ａ，１５２ｂ）が露出した側面１５４ａ，１５４ｂが上下面となるような姿勢とした状態で、側面１５４ａ，１５４ｂにセラミックシート１７１を貼り付けるようにした方法が特許文献１に記載されている。
【０００６】
しかしながら、特許文献１に記載された方法の場合、内部電極１５２（１５２ａ，１５２ｂ）が積層体１７０の側面１５４ａ，１５４ｂに露出した状態であり、内部電極１５２ａと１５２ｂの間に介在するセラミックグリーンシートの厚みが、近年、例えば数μｍにまで薄層化され、内部電極１５２ａと１５２ｂの間隔（距離）が近接しているため、ホルダ１２６の貫通孔１２６ａに、積層体１７０を、互いに対向する端面１５３ａ，１５３ｂを結ぶ線を回転軸として９０°回転させて挿入する際に、積層体１７０どうしの接触や、積層体１７０とホルダ１２６の接触などにより、内部電極１５２ａと内部電極１５２ｂとの間で短絡が生じるおそれがある。
【０００７】
したがって、このような積層体１７０をホルダ１２６の貫通孔１２６ａに挿入するにあたっては、慎重に積層体１７０の挿入を行うことが必要になるため、思うように生産性の向上を図ることができないという問題点がある。
【０００８】
また、複数のホルダ１２６を準備し、大量の積層体１７０を振り込む方式も考えられるが、露出している内部電極１５２ａと内部電極１５２ｂとが短絡するおそれがあり、製品の信頼性が不十分になるという問題点がある。
【先行技術文献】
【特許文献】
【０００９】
【特許文献１】特開平０６−３４９６６９号公報
【発明の概要】
【発明が解決しようとする課題】
【００１０】
本発明は、上記課題を解決するものであり、側面に内部電極が露出した構造を有する被整列部材を、その側面に露出している内部電極どうしが短絡することを防止しつつ、被整列部材を、上記側面に直交し、互いに対向する一対の端面を結ぶ線を回転軸として９０°回転させた状態で効率よく整列させることが可能な整列装置を提供することを目的とする。
【課題を解決するための手段】
【００１１】
上記課題を解決するために、本発明の整列装置は、
整列すべき複数の被整列部材を保持する保持プレートであって、主面に前記被整列部材を保持した状態で、前記主面が水平の状態から垂直の状態になるように、姿勢を変えることができるように構成された保持プレートと、
前記主面が垂直になった前記保持プレートの、前記被整列部材が保持された前記主面と対向して、前記保持プレートの前記主面との間に、前記被整列部材が上方から下方に向かって通過する搬送路が形成されるように構成された対向プレートと、
前記保持プレートと前記対向プレートの間の前記搬送路に位置する前記被整列部材を上方から付勢して、前記搬送路を下方に通過させる押し出し部材と、
前記押し出し部材により押し出された前記被整列部材を受け取り、所定の位置に保持する保持力を備える整列シートと、前記整列シートを所定の方向に搬送する搬送手段とを備え、前記被整列部材を保持させた前記整列シートを、所定の方向に搬送することにより、順次押し出される前記被整列部材を前記整列シート上に整列させる整列機構と
を備え、
前記保持プレートおよび前記対向プレートは、前記被整列部材を保持する保持手段を有しているとともに、前記対向プレートが有する前記保持手段の方が、前記保持プレートが有する前記保持手段よりも、前記被整列部材を保持する力が大きく、前記搬送路に前記被整列部材を位置させた場合に、前記保持プレートの主面に保持されていた被整列部材が、前記対向プレートの主面に移行し、前記対向プレートの前記主面に摺動可能に保持されるように構成されていること
を特徴としている。
【００１２】
また、本発明の整列装置においては、前記被整列部材が磁性を有しており、かつ、前記被整列部材を保持する前記保持手段が、磁力により前記被整列部材を保持するように構成されていることが好ましい。
【００１３】
上記構成を備えることにより、被整列部材を確実に保持しつつ、上記押し出し部材により被整列部材を、上方から下方に向かって通過させることが可能になり、本発明を実効あらしめることができる。
【００１４】
また、前記整列シートが備える前記保持力が、粘着力によって前記被整列部材を所定の位置に保持するものであることが好ましい。
【００１５】
整列シートとして、粘着力によって被整列部材を所定の位置に保持するものを用いることにより、コストのかかる整列シートを用いることなく、経済性に優れ、かつ、信頼性の高い整列装置を提供することが可能になる。
ただし、整列シートとしては、粘着力により被整列部材を保持するものに限らず、例えば、磁力により被整列部材を所定の位置に保持するものなど、他の構成のものを用いることも可能である。
【００１６】
また、前記被整列部材が前記整列シート上に載置されるまで、前記被整列部材が前記対向プレートの前記保持手段により保持されるように、前記対向プレートの前記保持手段の下端から前記整列シートの表面までの距離を、前記被整列部材の前記整列シートへの載置姿勢における高さ寸法よりも小さくなるように調整するクリアランス調整手段をさらに備えていることが好ましい。
【００１７】
上述のように、クリアランス調整手段を設け、対向プレートの保持手段の下端から整列シートの表面までの距離を、クリアランス調整手段により、被整列部材の整列シートへの載置姿勢における高さ寸法よりも小さくなるように調整することにより、被整列部材が整列シート上に載置されるまで、被整列部材を対向プレートの保持手段により保持した状態に保つことが可能になり、より確実に被整列部材を整列シート上に整列させることが可能になる。
【００１８】
また、前記被整列部材が、内部電極を備えたマザーブロックを、所定の位置で分割してなる複数の個片である場合に本発明を適用することにより、本発明を特に意義あらしめることができる。
【００１９】
すなわち、被整列部材が、内部電極を備えたセラミック誘電体からなるマザーブロックを分割してなる複数の個片である場合、保持プレート上で整列した状態のまま被整列部材を取り扱い、整列シート上に整列させることが可能になる。
【００２０】
また、本発明においては、前記被整列部材が、内部電極を備えたセラミック積層体であり、かつ、前記保持プレート上に保持されている状態においては、前記保持プレートの前記主面に対して垂直な面であって、前記整列シート上に整列させた状態においては、前記整列シートの主面に対して平行な面である上面が、前記内部電極が露出する面であり、セラミックシートを貼り付けるか、または、セラミックスラリーを塗布することにより封止されるべき面であるような部材であることが好ましい。
【００２１】
上記構成を備えることにより、貼り付けられたセラミックシートあるいはセラミックスラリーを塗布することにより形成されたセラミック層を、内部電極が露出したセラミック積層体の側面を封止する絶縁層、すなわち、サイドギャップとして機能させることが可能になる。
その結果、サイドギャップの寸法が小さい（厚みが薄い）積層セラミック電子部品を効率よく製造することが可能になり、例えば積層セラミックコンデンサの場合には、小型大容量の積層セラミックコンデンサを実現することができる。
【発明の効果】
【００２２】
本発明の整列装置は、上述のように構成されていることから、保持プレート上に保持された複数の被整列部材を、整列状態を保ちつつ、保持プレートと対向プレートの間に形成される、被整列部材の搬送路に位置させることが可能になる。そして、上記搬送路に位置する被整列部材を、押し出し部材により上方から下方に向かって移動させ、整列シート上に押し出すことにより、水平な状態の保持プレート上に位置している場合から、被整列部材を９０°回転させた状態（すなわち、水平な状態の保持プレート上に保持されている状態においては鉛直方向の面（保持プレートの表面に対して垂直な面）が、整列シート上に整列させた状態においては、整列シートの表面に対して平行な面となるように回転させた状態）で、整列シート上に整列させることが可能になる。
【００２３】
そのため、例えば、整列シートの表面に対して平行な面となる上面が、内部電極の露出面（セラミック積層体の側面）であって、セラミックシートを貼り付けるか、または、セラミックスラリーを塗布することにより封止されるべき面となるようにすることにより、セラミック積層体の側面に容易にセラミックシートを貼り付けたり、セラミックスラリーを塗布したりすることが可能になり、サイドギャップの寸法が小さく、小型大容量の積層セラミックコンデンサを効率よく製造することが可能になる。
【図面の簡単な説明】
【００２４】
【図１】本発明の一実施形態にかかる整列装置の構成を模式的に示す正面図である。
【図２】本発明の一実施形態にかかる整列装置の構成を模式的に示す側面図である。
【図３】本発明の一実施形態にかかる整列装置の要部構成を示す側面図である。
【図４】（ａ），（ｂ），（ｃ），（ｄ）は本発明の整列装置の動作を説明するための図である。
【図５】本発明の実施形態における整列の対象である被整列部材の構成を示す図である。
【図６】被整列部材（積層体）の側面にセラミックシートを貼り付けて、側面を封止した状態のセラミック積層体を示す斜視図である。
【図７】図６のセラミック積層体の両端面に外部電極を形成することにより作製した積層セラミックコンデンサを示す図である。
【図８】代表的な積層セラミック電子部品の一つである積層セラミックコンデンサの構成を示す正面断面図である。
【図９】積層セラミックコンデンサを構成する内部電極の配設態様を説明するための要部平面図である。
【図１０】積層セラミックコンデンサを構成する、側面に内部電極が露出した積層体を示す斜視図である。
【図１１】図７の積層体の側面にセラミックシートを貼り付けてなるセラミック積層体を示す断面図である。
【図１２】積層体の側面にセラミックシートを貼り付けるために積層体をホルダに保持させた状態を示す図である。
【発明を実施するための形態】
【００２５】
以下に本発明の実施形態を示して、本発明の特徴とするところをさらに詳しく説明する。
【００２６】
［実施形態］
図１は、本発明の一実施形態にかかる整列装置の構成を模式的に示す正面図、図２は側面図である。
また、図３は本発明の一実施形態にかかる整列装置の要部構成を示す側面図である。
【００２７】
この実施形態では、積層セラミックコンデンサを製造する工程で、内部電極を備えたマザーブロックを所定の位置で分割することにより得られる複数の個片（積層体）を被整列部材として、この被整列部材を整列シート上に整列させるための整列装置を例にとって説明する。
【００２８】
なお、この実施形態における被整列部材１は、図５に示すように、外部電極５（５ａ，５ｂ）（図７参照）との接続のために内部電極２（２ａ，２ｂ）が引き出された端面３（３ａ，３ｂ）のみではなく、側面４（４ａ，４ｂ）にも内部電極２（２ａ，２ｂ）が露出した構造を有する未焼成の積層体（セラミック積層体）であり、概略寸法が、幅（Ｗ）０．５ｍｍ、高さ（Ｔ）０．５ｍｍ、長さ（Ｌ）１．０ｍｍのものである。
【００２９】
この実施形態にかかる整列装置は、図１〜３に示すように、被整列部材１を保持する保持プレート１０と、保持プレート１０の主面１０ａとの間に、被整列部材１が通過する搬送路３０を形成する対向プレート２０と、被整列部材１を、上述の搬送路３０を上方から下方に通過させる押し出し部材４０と、押し出された被整列部材１を整列させるための整列機構５０とを備えている。
【００３０】
保持プレート１０は、主面１０ａに被整列部材１を保持することができるように構成されており、図３に示すように、保持プレート用ベース部材１６と、保持プレート用ベース部材１６上に配設された、磁力により被整列部材１を保持する保持プレート用保持手段１５と、保持プレート用保持手段１５の表面に緩衝材として配設されたウレタンゴムシート１７を備えている。
なお、この実施形態では、保持プレート用保持手段１５として、例えばネオジウムなどの磁性材料を含有させたシート状のラバー磁石が用いられている。
【００３１】
ただし、保持プレート用保持手段１５としては電磁石を被整列部材１の全体に磁力が及ぶように保持プレート１０に埋め込んで用いることも可能である。
また、真空吸引力を利用して被整列部材１を保持するような構成とすることも可能である。
さらに、粘着力を利用して被整列部材１を保持するような構成とすることも可能である。
【００３２】
そして、この保持プレート１０は、主面１０ａに被整列部材１を保持させた状態で、主面１０ａが水平の状態から垂直の状態になるように姿勢を変えることができるように構成されている。すなわち、この実施形態では、保持プレート１０を構成する保持プレート用ベース部材１６を回転駆動機構１３により回転させることにより、主面１０ａが水平の状態から垂直の状態になるように姿勢を変えることができるように構成されている。
【００３３】
なお、保持プレート１０の姿勢を主面１０ａが水平または垂直になるように姿勢を変化させる（回転させる）ための回転駆動機構１３の構成に特別の制約はなく、公知の種々の方法を適用することができる。
【００３４】
また、対向プレート２０は、垂直になった保持プレート１０の主面１０ａ（被整列部材１が保持されている面）と対向して、保持プレート１０の主面１０ａとの間に、被整列部材１が上方から下方に向かって通過する搬送路３０を形成するように構成されている。すなわち、保持プレート１０の主面１０ａと対向プレート２０の主面２０ａの間に形成される空間が搬送路３０となる。
【００３５】
また、対向プレート２０は、駆動手段２１により、保持プレート１０の主面１０ａと対向プレート２０の主面２０ａの間に形成される搬送路３０の奥行きＤ（図２，３参照）を調整することができるように構成されている。
【００３６】
駆動手段２１としては  この実施形態では、エアシリンダが用いられている。ただし、本発明の整列装置においては、他の駆動手段を用いることも可能である。
【００３７】
また、対向プレート２０は、図３に示すように、対向プレート用ベース部材２６と、対向プレート用ベース部材２６上に配設され、磁力により被整列部材１を保持する対向プレート用保持手段２５とを備えている。
【００３８】
対向プレート用保持手段２５としては、磁性材料を含有させたシート状のラバー磁石が用いられている。
【００３９】
また、対向プレート用保持手段（ラバー磁石）２５の表面には、被整列部材１に及ぶ磁力を調整するための磁力調整板２７が配設されている。この磁力調整板２７の厚みにより、被整列部材１に及ぶ磁力が調節される。
なお、この実施形態では、磁力調整板２７として、樹脂からなるシートが配設されている。
【００４０】
そして、対向プレート用保持手段（ラバー磁石）２５としては、保持プレート用保持手段（ラバー磁石）１５よりも、被整列部材１に及ぶ磁力が強いものが用いられている。
【００４１】
その結果、保持プレート１０をその主面１０ａが垂直になるように姿勢を変化させたときに、保持プレート用保持手段（ラバー磁石）１５により保持プレート１０の主面１０ａ上に保持されていた被整列部材１が、磁力の強い対向プレート用保持手段（ラバー磁石）２５を備えた対向プレート２０の主面２０ａに移行することになる。
【００４２】
なお、対向プレート用保持手段２５としては電磁石を被整列部材１の全体に磁力が及ぶように対向プレート２０に埋め込んで用いることも可能である。
また、真空吸引力を利用して被整列部材１を保持するような構成とすることも可能である。
【００４３】
なお、この実施形態の整列装置においては、被整列部材１が対向プレート２０の主面２０ａ上を摺動しながら円滑に搬送されることが必要であるため、対向プレート用保持手段として、粘着力により被整列部材１を保持するような構成のものを用いることはあまり望ましくない。
【００４４】
また、押し出し部材４０は、保持プレート１０と対向プレート１０の間の搬送路３０に位置する複数の被整列部材１を上方から付勢して、搬送路３０を上方から下方に向かって被整列部材１を順次通過させる機能を果たす板状の部材である。
【００４５】
この実施形態の整列装置において、押し出し部材４０は、被整列部材送り機構４１を備えており、マザーブロックＭが分割されてなる被整列部材１の、整列シート５１への載置姿勢における高さ方向の寸法Ｌ２（図３）を１ピッチとすると、被整列部材１を１ピッチずつ、下方（鉛直方向）に送り出すことができるように構成されている。
【００４６】
また、上記整列機構５０は、押し出し部材４０により搬送路３０から下方に押し出された被整列部材１を受け取り、所定の位置に保持する保持力を備える整列シート５１と、整列シート５１を上面に保持する整列ステージ５２と、整列ステージ５２を所定の方向（図２の矢印Ａの方向）に搬送することにより、整列ステージ５２とともに整列シート５１を所定の方向に搬送する搬送手段６０（図２）とを備えている。そして、被整列部材１を保持させた整列シート５１を、所定の方向（図２，図４（ｄ）の矢印Ａの方向）に搬送することにより、順次押し出される被整列部材１を整列シート５１上に整列させることができるように構成されている。
【００４７】
この実施形態では、整列シート５１として、粘着力により被整列部材１を保持するシート状材料が用いられている。ただし、整列シート５１として、磁力により被整列部材１を保持するタイプのものや、真空吸引力により被整列部材１を保持するタイプのものを用いることも可能である。
なお、粘着力により被整列部材１を保持する整列シート５１としては、例えば、熱により粘着力を消失する発泡剥離シートや、熱により粘着力を発現する冷間剥離シートなどを用いることが可能である。
【００４８】
整列ステージ５２は、整列シート５１が粘着力により被整列部材１を保持するものである場合、粘着力を発現もしくは消失させるための温度調整手段（例えばヒータなど）を備えることが望ましい。また、整列シート５１を真空吸引により整列ステージ５２上に保持する場合には、吸引機構を備えていることが必要になる。
【００４９】
また、整列シート５１として、磁力により被整列部材１を保持するものを用いる場合、磁力の発生をコントロールすることが可能な電磁石を用いることが望ましい。
【００５０】
なお、この実施形態の整列装置において用いられている整列ステージ５２は、整列シート５１が載置、保持される上面が平坦なステージで、ヒータと吸引機構を備えている。そして、ヒータにより加熱された整列ステージ５２の上面に整列シート５１がセットされた後、吸引することにより、整列シート５１が整列ステージ５２上に固定されるように構成されている。
【００５１】
さらに、この実施形態の整列装置は、対向プレート２０を上下方向に移動させて、対向プレート２０の下端２０ａ（詳しくは、対向プレート用保持手段（ラバー磁石）２５の下端２５ａ）と、整列シート５１との間の距離（クリアランス）Ｌ１（図３）を調整するためのクリアランス調整手段２８（図２）をさらに備えている。
【００５２】
このクリアランス調整手段２８は、対向プレート用保持手段２５の高さ方向の位置を調整することにより、被整列部材１を、順次整列シート５１上に整列させる際に、被整列部材１が整列シート５１上に載置される時点まで、被整列部材１を対向プレート用保持手段２５により確実に保持できるようにする機能を果たすものである。
【００５３】
なお、この実施形態では、クリアランス調整手段２８の駆動手段としてはエアシリンダが用いられている。ただし、クリアランス調整手段２８の駆動手段はこれに限らず、例えば、モータなどを用いた直動機構などを用いることも可能である。
【００５４】
クリアランス調整手段２８により、対向プレートの高さ方向の位置を調整する場合、被整列部材の姿勢を安定させるために対向プレート用保持手段２５の下端２５ａから整列シート５１までの距離Ｌ１（図３）を、上述のように、被整列部材１の整列シート５１への載置姿勢における高さ方向の寸法Ｌ２（図３）より小さくすることが望ましい。また、保持プレート１０の下端１０ｂから整列シート５１までの距離Ｌ３（図３）は、保持プレート１０および保持プレート用保持手段１５の磁力が、被整列部材１の整列シート５１への受け渡しの際に、被整列部材１の動作に悪影響を与えないようにする見地から、被整列部材１の整列シート５１への載置姿勢における高さ方向の寸法Ｌ２より、大きいほうが好ましい。
【００５５】
また、この整列装置は、被整列部材１を対向プレート２０の主面２０ａ側に移行させた後、図１に示すように、対向プレート２０の両サイド側からマトリックス状の複数の被整列部材１の端部を揃えるための揃えガイド３１ａ，３１ｂ、および揃えガイド３１ａ，３１ｂを駆動させるための揃えガイド駆動手段３２ａ，３２ｂを備えている。
【００５６】
さらに、この整列装置は、整列ステージ５２上に配設された整列シート５１の上方に、整列シート５１と対向するように配置され  整列シート５１上に整列させた被整列部材１を所定の位置で上方から整列シート５１に押圧することにより、確実に被整列部材１を整列シート５１に粘着保持させるための押圧手段５３を備えている。
【００５７】
次に、この整列装置を用いて被整列部材の整列を行う際の動作について説明する。
（１）マザーブロックＭを個片に分割してなる複数の被整列部材１を、保持プレート１０の主面１０ａ上に、整列した状態で保持させる。
【００５８】
（２）それから、保持プレート１０を、その主面１０ａが水平の状態から垂直の状態になるように９０度回転させ、保持プレート１０の主面１０ａ上の被整列部材１と、対向プレート２０（の主面２０ａ）とを対向させる。
【００５９】
（３）次に、対向プレート２０と、被整列部材１とを相対的に近接もしくは密着させる。この実施形態では、対向プレート２０を保持プレート１０に保持された被整列部材１に近接させる。
このとき、磁力の弱い保持プレート用保持手段（ラバー磁石）１５により保持プレート１０の主面１０ａ上に保持されていた被整列部材１が、磁力の強い対向プレート用保持手段（ラバー磁石）２５を備えた対向プレート２０の主面２０ａ側に移行する。
【００６０】
（４）次に、クリアランス調整手段２８（図２）により、対向プレート２０を下方に移動させ、図４（ａ）に示すように、対向プレート２０の対向プレート用保持手段２５の下端部（この実施形態では対向プレート２０の下端部と同じ）２５ａと整列シート５１までの距離（クリアランス）Ｌ１が、被整列部材１の整列シート５１への載置姿勢における高さ方向の寸法Ｌ２よりも小さくなる所定の位置に、対向プレート２０を位置させる。
このとき、複数の被整列部材１のうち、下端に位置する被整列部材１の下側端部が対向プレート２０の下端部と同じ位置になるように、押し出し部材４０により押し下げられている。
【００６１】
（５）それから、図４（ｂ）に示すように、押し出し部材４０により上方から被整列部材１を押し下げ、被整列部材１の下面を粘着性を有する整列シート５１に当接させて、粘着保持させる。このとき、被整列部材１が、その上部が対向プレート２０を構成する対向プレート用保持手段２５の磁力によって保持された状態で、整列シート５１に受け渡されるため、被整列部材１の整列シート５１上への移行が確実に行われる。
【００６２】
（６）次に、図４（ｃ）に示すように、クリアランス調整手段２８（図２）により対向プレート２０を上昇（退避）させ、整列シート５１上に粘着保持された被整列部材１と、他の被整列部材１とを分離させる。
【００６３】
（７）それから、図４（ｄ）に示すように、整列ステージ５２を所定の方向（ここでは、図４（ｄ）の矢印Ａの方向）に搬送することにより、整列シート５１上に粘着保持された被整列部材１を矢印Ａの方向に搬送する。そして、所定の位置で、押圧手段５３により被整列部材１を整列シート５１に押し付けることにより、被整列部材１がより確実に整列シート５１に粘着保持された状態で搬送される。
【００６４】
その後、上記（４）〜（７）の工程を繰り返すことにより、被整列部材１が順次整列シート５１上に整列される。
【００６５】
その結果、主面１０ａが水平な状態の保持プレート１０上に被整列部材１が保持されているときには保持プレート１０の表面に対して垂直な面（鉛直な面）を、整列シート５１上に整列させた状態においては、整列シートの表面に対して平行な面となるような姿勢（９０°回転させた状態）で、整列シート５１上に確実に整列させることが可能になる。
【００６６】
したがって、例えば、整列シート５１上に整列させたときに、被整列部材（＝図５の積層体）１の、整列シート５１の表面に対して平行な面（ここでは上面という）が、内部電極２（２ａ）が露出した被整列部材１の側面４（４ａ）（図５参照）であって、セラミックシートを貼り付けるか、または、セラミックスラリーを塗布することにより封止されるべき面である場合には、その上面（側面４（４ａ）に、上方からセラミックシートを貼り付け、あるいは、セラミックスラリーを塗布することにより、サイドギャップの寸法Ｇが小さいセラミック積層体１ａを効率よく形成することができる。
【００６７】
なお、図６は、被整列部材（積層体）１の上記側面４（４ａ，４ｂ）にセラミックシートＳを貼り付けて、側面４（４ａ，４ｂ）を封止した状態のセラミック積層体１ａを示す斜視図である。
【００６８】
そして、このセラミック積層体１ａの両端面端面３（３ａ，３ｂ）に外部電極５（５ａ，５ｂ）を形成することにより、図７に示すような、サイドギャップの寸法Ｇが小さく、小型大容量の積層セラミックコンデンサを得ることができる。
【００６９】
なお、上記実施形態では、内部電極を備えたマザーブロックを所定の位置でカットして、個々の個片に分割した場合の各個片を被整列部材とした場合について説明したが、本発明は、例えば、マザーブロックを複数個の個片（素子）を含む、短冊片（半個片）にカットした部材を被整列部材とする場合にも適用することが可能である。
【００７０】
また、上記実施形態では、被整列部材が、積層セラミックコンデンサの製造工程で形成される、未焼成の積層体（セラミック積層体）である場合を例にとって説明したが、本発明は、被整列部材の種類に特別の制約はなく、チップインダクタや、チップ抵抗など他の電子部品の製造工程で形成されるチップ状の部材をはじめ、種々の部材を被整列部材として整列させる場合に広く適用することが可能である。
【００７１】
また、上記実施形態では、被整列部材が未焼成のセラミック積層体である場合を例にとって説明したが、被整列部材は焼成済みのものであってもよい。
【００７２】
本発明は、さらにその他の点においても上記実施形態に限定されるものではなく、被整列部材の具体的な構造や寸法、構成材料などに関し、発明の範囲内において、種々の応用、変形を加えることが可能である。
【符号の説明】
【００７３】
１              被整列部材
２（２ａ，２ｂ）  内部電極
３（３ａ，３ｂ）  端面
４（４ａ，４ｂ）  側面
１０            保持プレート
１０ａ          保持プレートの主面
１０ｂ          保持プレートの下端
１３            回転駆動機構
１５            保持プレート用保持手段（ラバー磁石）
１６            保持プレート用ベース部材
１７            緩衝材（ウレタンゴムシート）
２０            対向プレート
２０ａ          対向プレートの主面  
２１            駆動手段
２５            対向プレート用保持手段
２５ａ          対向プレート用保持手段の下端  
２６            対向プレート用ベース部材
２７            磁力調整板
２８            クリアランス調整手段
３０            被整列部材の搬送路
３１ａ，３１ｂ  揃えガイド
３２ａ，３２ｂ  揃えガイド駆動手段
４０            押し出し部材
４１            被整列部材送り機構
５０            整列機構
５１            整列シート
５２            整列ステージ
５３            押圧手段  
６０            搬送手段
Ｄ              搬送路の奥行き
Ｌ１            対向プレート用保持手段の下端から整列シートまでの間の距離  
Ｌ２            被整列部材の整列シートへの載置姿勢における高さ方向寸法
Ｌ３            保持プレートの下端位置と整列シートの間の距離
Ｍ              マザーブロック
Ｓ              セラミックシート
【図１】
2015222762.tif 000003
【図２】
2015222762.tif 000004
【図３】
2015222762.tif 000005
【図４】
2015222762.tif 000006
【図５】
2015222762.tif 000007
【図６】
2015222762.tif 000008
【図７】
2015222762.tif 000009
【図８】
2015222762.tif 000010
【図９】
2015222762.tif 000011
【図１０】
2015222762.tif 000012
【図１１】
2015222762.tif 000013
【図１２】
2015222762.tif 000014